(57)【要約】【課題】部品の加工工数や加工コスト、部品点数、組立工数を削減するとともに、部品自体を小型化しつつ、簡単な構成でもって、ベローズ取付長の調節と気密性の確保とを実現することのできる可変容量型圧縮機用制御弁及びその組立方法を提供する。【解決手段】円筒状のステータ３３における吸引子３２側とは反対側の上部開口３３ａに、該上部開口３３ａを閉塞する閉塞部材６５が圧入されて溶接されている。【選択図】図１
2018003879.tif 000002
【特許請求の範囲】
【請求項１】
弁口が設けられた弁室及び圧縮機の吸入室に連通するＰｓ入出口を有し、前記弁口より上流側に圧縮機の吐出室に連通するＰｄ導入口が設けられるとともに、前記弁口より下流側に前記圧縮機のクランク室に連通するＰｃ入出口が設けられた弁本体と、前記弁口を開閉するための弁体と、該弁体を弁口開閉方向に移動させるためのプランジャを有する電磁式アクチュエータと、前記圧縮機から吸入圧力Ｐｓが前記Ｐｓ入出口を介して導入される感圧室と、該感圧室内に配置されて該感圧室の圧力に応じて前記弁体を弁口開閉方向に付勢する感圧応動部材と、を備え、
前記電磁式アクチュエータは、コイルの内周側に、筒状のステータ、吸引子、及び前記プランジャが直列的に配在されており、前記ステータの内周側に前記感圧室を形成すべく、前記ステータにおける前記吸引子側とは反対側の開口に、該開口を閉塞する閉塞部材が圧入されて溶接されていることを特徴とする可変容量型圧縮機用制御弁。
【請求項２】
前記閉塞部材は、前記感圧応動部材の伸縮方向に向けて圧入されていることを特徴とする請求項１に記載の可変容量型圧縮機用制御弁。
【請求項３】
前記ステータと前記吸引子とが一体に成形されていることを特徴とする請求項１又は２に記載の可変容量型圧縮機用制御弁。
【請求項４】
前記開口の口径が、前記感圧室の室径と同等もしくはそれより大きくされていることを特徴とする請求項１から３のいずれか一項に記載の可変容量型圧縮機用制御弁。
【請求項５】
前記閉塞部材に、前記感圧室内に配置された前記感圧応動部材の端部が嵌め込まれる凹部が設けられていることを特徴とする請求項１から４のいずれか一項に記載の可変容量型圧縮機用制御弁。
【請求項６】
前記弁体は、前記弁口を開閉するとともに、前記クランク室の圧力Ｐｃを前記Ｐｓ入出口を介して前記圧縮機の吸入室に逃がすための弁内逃がし通路がその内部に設けられた主弁体と、該弁内逃がし通路を開閉する副弁体とで構成されていることを特徴とする請求項１から５のいずれか一項に記載の可変容量型圧縮機用制御弁。
【請求項７】
弁口が設けられた弁室及び圧縮機の吸入室に連通するＰｓ入出口を有し、前記弁口より上流側に圧縮機の吐出室に連通するＰｄ導入口が設けられるとともに、前記弁口より下流側に前記圧縮機のクランク室に連通するＰｃ入出口が設けられた弁本体と、前記弁口を開閉するための弁体と、該弁体を弁口開閉方向に移動させるためのプランジャを有する電磁式アクチュエータと、前記圧縮機から吸入圧力Ｐｓが前記Ｐｓ入出口を介して導入される感圧室と、該感圧室内に配置されて該感圧室の圧力に応じて前記弁体を弁口開閉方向に付勢する感圧応動部材と、を備え、
前記電磁式アクチュエータは、コイルの内周側に、筒状のステータ、吸引子、及び前記プランジャが直列的に配在されており、前記ステータの内周側に前記感圧応動部材が配在される前記感圧室が形成されている可変容量型圧縮機用制御弁の組立方法であって、
前記ステータにおける前記吸引子側とは反対側の開口を通して該ステータの内周側に前記感圧応動部材を配置し、前記開口に該開口を閉塞する閉塞部材を圧入しながら前記感圧応動部材の取付長を調節した後、前記開口に前記閉塞部材を溶接して固定することを特徴とする可変容量型圧縮機用制御弁の組立方法。
【請求項８】
弁口が設けられた弁室及び圧縮機の吸入室に連通するＰｓ入出口を有し、前記弁口より上流側に圧縮機の吐出室に連通するＰｄ導入口が設けられるとともに、前記弁口より下流側に前記圧縮機のクランク室に連通するＰｃ入出口が設けられた弁本体と、前記弁口を開閉するための弁体と、該弁体を弁口開閉方向に移動させるためのプランジャを有する電磁式アクチュエータと、前記圧縮機から吸入圧力Ｐｓが前記Ｐｓ入出口を介して導入される感圧室と、該感圧室内に配置されて該感圧室の圧力に応じて前記弁体を弁口開閉方向に付勢する感圧応動部材と、を備え、
前記電磁式アクチュエータは、コイルの内周側に、筒状のステータ、吸引子、及び前記プランジャが直列的に配在されており、前記ステータの内周側に前記感圧応動部材が配在される前記感圧室が形成されている可変容量型圧縮機用制御弁の組立方法であって、
前記ステータにおける前記吸引子側の下部開口を通して該ステータの内周側に前記感圧応動部材を配置し、前記下部開口に前記吸引子を取り付けて固定し、前記ステータにおける前記吸引子側とは反対側の上部開口に該上部開口を閉塞する閉塞部材を圧入しながら前記感圧応動部材の取付長を調節した後、前記上部開口に前記閉塞部材を溶接して固定することを特徴とする可変容量型圧縮機用制御弁の組立方法。
【発明の詳細な説明】
【技術分野】
【０００１】
本発明は、カーエアコン等に使用される可変容量型圧縮機用制御弁及びその組立方法に関する。
【背景技術】
【０００２】
従来より、カーエアコン用圧縮機として、図９に簡略図示されている如くの斜板式可変容量型圧縮機が使用されている。この斜板式可変容量型圧縮機１００は、車載エンジンに回転駆動される回転軸１０１、この回転軸１０１に取り付けられた斜板１０２、この斜板１０２が配在されたクランク室１０４、前記斜板１０２により往復運動せしめられるピストン１０５、このピストン１０５により圧縮された冷媒を吐出するための吐出室１０６、冷媒を吸入するための吸入室１０７、クランク室１０４の圧力Ｐｃを吸入室１０７へ逃がすための機内逃がし通路（固定オリフィス）１０８等を有している。
【０００３】
一方、上記可変容量型圧縮機に用いられる制御弁１’は、圧縮機１００の吐出室１０６から吐出圧力Ｐｄが導入されるとともに、その吐出圧力Ｐｄを圧縮機１００の吸入圧力Ｐｓに応じて調圧することによりクランク室１０４の圧力Ｐｃを制御するようになっており、基本構成として、弁口が設けられた弁室及び圧縮機１００の吸入室１０７に連通するＰｓ導入口を有し、前記弁口より上流側に圧縮機１００の吐出室１０６に連通するＰｄ導入口が設けられるとともに、前記弁口より下流側に前記圧縮機１００のクランク室１０４に連通するＰｃ導出口が設けられた弁本体と、前記弁口を開閉するための弁体（弁棒）と、該弁体を弁口開閉方向（上下方向）に移動させるためのプランジャを有する電磁式アクチュエータと、前記圧縮機１００から吸入圧力Ｐｓが前記Ｐｓ導入口を介して導入される感圧室と、該感圧室の圧力に応じて前記弁体を弁口開閉方向に付勢する感圧応動部材と、を備えており、前記弁体と前記弁口とで図９において符号１１’で示される弁部が構成される（例えば下記特許文献１等を参照）。
【０００４】
このような構成の制御弁１’においては、電磁式アクチュエータのコイル、ステータ及び吸引子等からなるソレノイド部が通電されると、吸引子にプランジャが引き寄せられ、これに伴い、弁体が閉弁ばねの付勢力により、プランジャに追従するように閉弁方向に移動せしめられる。一方、圧縮機１００からＰｓ導入口を介して導入された吸入圧力Ｐｓは、入出室からプランジャとその外周に配在された案内パイプとの間に形成される隙間等を介して感圧室に導入され、感圧応動部材（例えばベローズ装置）は感圧室の圧力（吸入圧力Ｐｓ）に応じて伸縮変位（吸入圧力Ｐｓが高いと収縮、低いと伸張）し、該変位（付勢力）が弁体に伝達され、それによって、弁口に対して弁体の弁体部が昇降して弁部１１’の弁開度が調整される。すなわち、弁開度は、ソレノイド部によるプランジャの吸引力と、感圧応動部材の伸縮変位による付勢力（伸縮力）と、プランジャばね（開弁ばね）及び閉弁ばねによる付勢力とによって決定され、その弁開度に応じて、クランク室１０４の圧力Ｐｃ（以下、クランク室圧力Ｐｃあるいは単に圧力Ｐｃと呼ぶことがある）が制御される。
【０００５】
また、上記可変容量型圧縮機に対し、例えば、圧縮機起動時において吐出容量が大きくなるまでに要する時間を短縮すること、通常制御時において圧縮機の運転効率が低下することを抑制ないし低減すること等を目的とした、図１０に簡略図示される如くの改良型の斜板式可変容量型圧縮機も既に提案されている。
【０００６】
この改良型の斜板式可変容量型圧縮機２００は、それに用いられる制御弁における弁体（弁棒）を主弁体と副弁体とで構成し、その主弁体内に弁内逃がし通路１６’を設けたもので、その制御弁２’は、基本的に、弁口が設けられた弁室及び圧縮機２００の吸入室１０７に連通するＰｓ入出口を有し、前記弁口より上流側に圧縮機２００の吐出室１０６に連通するＰｄ導入口が設けられるとともに、前記弁口より下流側に前記圧縮機２００のクランク室１０４に連通するＰｃ入出口が設けられた弁本体と、前記弁口を開閉するための主弁体と、該主弁体を弁口開閉方向に移動させるためのプランジャを有する電磁式アクチュエータと、前記圧縮機２００から吸入圧力Ｐｓが前記Ｐｓ入出口を介して導入される感圧室と、該感圧室の圧力に応じて前記主弁体を弁口開閉方向に付勢する感圧応動部材と、を備え、前記クランク室１０４の圧力Ｐｃを前記Ｐｓ入出口を介して前記圧縮機２００の吸入室１０７に逃がすための弁内逃がし通路１６’が前記主弁体内に設けられるとともに、該弁内逃がし通路１６’を開閉する副弁体が設けられ、前記電磁式アクチュエータの吸引力により前記プランジャが最下降位置から上方向に連続的に移動せしめられるとき、前記プランジャと一緒に前記副弁体が前記弁内逃がし通路１６’を閉じたまま上方向に移動するとともに、該副弁体に追従するように主弁体が上方向に移動せしめられ、前記主弁体により前記弁口が閉じられた後、さらに前記プランジャが上方向に移動せしめられると、前記副弁体が前記弁内逃がし通路１６’を開くようにされており、前記主弁体と前記弁口とで図１０において符号１１’で示される主弁部が構成され、前記副弁体と前記弁内逃がし通路とで符号１２’で示される副弁部が構成される（例えば下記特許文献２等を参照）。
【０００７】
かかる構成の制御弁２’においては、通常制御時（Ｐｄ→Ｐｃ制御時）には、電磁式アクチュエータのコイル、ステータ及び吸引子等からなるソレノイド部が通電されると、吸引子にプランジャが引き寄せられ、これに伴い、プランジャと一体に副弁体が上方向に移動するとともに、この動きに追従して、主弁体が閉弁ばねの付勢力により閉弁方向に移動せしめられる。一方、圧縮機２００からＰｓ入出口を介して導入された吸入圧力Ｐｓは、入出室からプランジャの横孔等を介して感圧室に導入され、感圧応動部材（例えばベローズ装置）は感圧室の圧力（吸入圧力Ｐｓ）に応じて伸縮変位（吸入圧力Ｐｓが高いと収縮、低いと伸張）し、該変位（付勢力）が主弁体に伝達され、それによって、弁口に対して主弁体の主弁体部が昇降して主弁部１１’の弁開度が調整される。すなわち、弁開度は、ソレノイド部によるプランジャの吸引力と、感圧応動部材の伸縮変位による付勢力（伸縮力）と、プランジャばね（開弁ばね）及び閉弁ばねによる付勢力と、主弁体に作用する開弁方向の力と閉弁方向の力とによって決定され、その弁開度に応じて、クランク室１０４の圧力Ｐｃが制御される。この場合、主弁体は閉弁ばねの付勢力により常に上向きに付勢されているとともに、副弁体は開弁ばねの付勢力により常に下向きに付勢されているので、副弁部１２’が閉弁となり、弁内逃がし通路１６’は主弁体内で遮断され、弁内逃がし通路１６’を通じてクランク室圧力Ｐｃが吸入室１０７に逃がされることはない。
【０００８】
それに対し、圧縮機起動時には、ソレノイド部が通電されて、吸引子にプランジャが引き寄せられ、このプランジャと一緒に副弁体が上方向に移動するとともに、この上方向移動に追従して、主弁体が閉弁ばねの付勢力により閉弁方向に移動せしめられ、主弁体の主弁体部により弁口が閉じられた後、さらにプランジャが上方向に移動せしめられ、これによって副弁体が弁内逃がし通路１６’を開くようにされ、クランク室圧力Ｐｃが機内逃がし通路１０８と弁内逃がし通路１６’の二つの通路を通じて吸入室１０７に逃がされることになる（詳細は、下記特許文献２等を参照されたい）。
【先行技術文献】
【特許文献】
【０００９】
【特許文献１】特開２０１０−１８５２８５号公報
【特許文献２】特開２０１３−１３０１２６号公報
【発明の概要】
【発明が解決しようとする課題】
【００１０】
ところで、上記各種の従来の可変容量型圧縮機用制御弁においては、電磁式アクチュエータを構成するステータの上部（吸引子側とは反対側の部分）に、六角穴付きの調節ねじが螺合せしめられ、ステータの内周側における前記調節ねじと吸引子との間に、圧縮機の吸入圧力Ｐｓが導入される感圧室が形成され、この感圧室に感圧応動部材としてのベローズ等からなるベローズ装置が配在され、さらに、ベローズ装置と吸引子との間に、ベローズ装置を収縮させる方向（調節ねじ側に圧縮する方向）に付勢する圧縮コイルばねが縮装されている。また、調節ねじの外周（ねじ部より下側の部分）に形成された装着溝に、ステータと調節ねじとの間を封止するシール材としてのＯリングが装着されている。
【００１１】
かかる従来の可変容量型圧縮機用制御弁においては、通常、ステータの下部開口を通して該ステータの内周側に、Ｏリングを装着した調節ねじ、ベローズ装置、及び圧縮コイルばねを配置し、ステータの下部開口に吸引子を組み付けて固定した後、ステータの上側（外側）から調節ねじにてベローズ装置のベローズ取付長（以下、単に取付長ということがある）を調節し、その後、接着剤にて調節ねじをステータの上部に固定している。
【００１２】
しかし、上記従来の可変容量型圧縮機用制御弁においては、以下のような種々の課題がある。
【００１３】
すなわち、調節ねじのねじ加工や溝形成加工等により、部品の加工工数や加工コストが増大するとともに、部品自体が大型化する。また、気密性を確保するために、調節ねじの外周にＯリングを配設する必要があり、部品点数が増加する。また、ステータの下部開口を通して該ステータの内周側に調節ねじ等を配置した後、ステータの外側から調節ねじを回転させる必要があり、組立工程が煩雑となる。また、ベローズ取付長を調節ねじ（のねじ送り量）にて調節するため、当該ベローズ取付長を精緻に調節することが難しい。さらに、接着剤の塗布作業や硬化に時間を要するため、組立工数（時間）が増加する。
【００１４】
本発明は、上記事情に鑑みてなされたもので、その目的とするところは、部品の加工工数や加工コスト、部品点数、組立工数を削減するとともに、部品自体を小型化しつつ、簡単な構成でもって、ベローズ取付長の調節と気密性の確保とを実現することのできる可変容量型圧縮機用制御弁及びその組立方法を提供することにある。
【課題を解決するための手段】
【００１５】
前記の目的を達成すべく、本発明に係る可変容量型圧縮機用制御弁は、基本的に、弁口が設けられた弁室及び圧縮機の吸入室に連通するＰｓ入出口を有し、前記弁口より上流側に圧縮機の吐出室に連通するＰｄ導入口が設けられるとともに、前記弁口より下流側に前記圧縮機のクランク室に連通するＰｃ入出口が設けられた弁本体と、前記弁口を開閉するための弁体と、該弁体を弁口開閉方向に移動させるためのプランジャを有する電磁式アクチュエータと、前記圧縮機から吸入圧力Ｐｓが前記Ｐｓ入出口を介して導入される感圧室と、該感圧室内に配置されて該感圧室の圧力に応じて前記弁体を弁口開閉方向に付勢する感圧応動部材と、を備え、前記電磁式アクチュエータは、コイルの内周側に、筒状のステータ、吸引子、及び前記プランジャが直列的に配在されており、前記ステータの内周側に前記感圧室を形成すべく、前記ステータにおける前記吸引子側とは反対側の開口に、該開口を閉塞する閉塞部材が圧入されて溶接されていることを特徴としている。
【００１６】
好ましい態様では、前記閉塞部材は、前記感圧応動部材の伸縮方向に向けて圧入される。
【００１７】
別の好ましい態様では、前記ステータと前記吸引子とが一体に成形される。
【００１８】
別の好ましい態様では、前記開口の口径が、前記感圧室の室径と同等もしくはそれより大きくされる。
【００１９】
他の好ましい態様では、前記閉塞部材に、前記感圧室内に配置された前記感圧応動部材の端部が嵌め込まれる凹部が設けられる。
【００２０】
前記弁体は、好ましくは、前記弁口を開閉するとともに、前記クランク室の圧力Ｐｃを前記Ｐｓ入出口を介して前記圧縮機の吸入室に逃がすための弁内逃がし通路がその内部に設けられた主弁体と、該弁内逃がし通路を開閉する副弁体とで構成される。
【００２１】
また、本発明に係る可変容量型圧縮機用制御弁の組立方法の一態様は、基本的に、弁口が設けられた弁室及び圧縮機の吸入室に連通するＰｓ入出口を有し、前記弁口より上流側に圧縮機の吐出室に連通するＰｄ導入口が設けられるとともに、前記弁口より下流側に前記圧縮機のクランク室に連通するＰｃ入出口が設けられた弁本体と、前記弁口を開閉するための弁体と、該弁体を弁口開閉方向に移動させるためのプランジャを有する電磁式アクチュエータと、前記圧縮機から吸入圧力Ｐｓが前記Ｐｓ入出口を介して導入される感圧室と、該感圧室内に配置されて該感圧室の圧力に応じて前記弁体を弁口開閉方向に付勢する感圧応動部材と、を備え、前記電磁式アクチュエータは、コイルの内周側に、筒状のステータ、吸引子、及び前記プランジャが直列的に配在されており、前記ステータの内周側に前記感圧応動部材が配在される前記感圧室が形成されている可変容量型圧縮機用制御弁の組立方法であって、前記ステータにおける前記吸引子側とは反対側の開口を通して該ステータの内周側に前記感圧応動部材を配置し、前記開口に該開口を閉塞する閉塞部材を圧入しながら前記感圧応動部材の取付長を調節した後、前記開口に前記閉塞部材を溶接して固定することを特徴としている。
【００２２】
また、本発明に係る可変容量型圧縮機用制御弁の組立方法の別の態様は、基本的に、弁口が設けられた弁室及び圧縮機の吸入室に連通するＰｓ入出口を有し、前記弁口より上流側に圧縮機の吐出室に連通するＰｄ導入口が設けられるとともに、前記弁口より下流側に前記圧縮機のクランク室に連通するＰｃ入出口が設けられた弁本体と、前記弁口を開閉するための弁体と、該弁体を弁口開閉方向に移動させるためのプランジャを有する電磁式アクチュエータと、前記圧縮機から吸入圧力Ｐｓが前記Ｐｓ入出口を介して導入される感圧室と、該感圧室内に配置されて該感圧室の圧力に応じて前記弁体を弁口開閉方向に付勢する感圧応動部材と、を備え、前記電磁式アクチュエータは、コイルの内周側に、筒状のステータ、吸引子、及び前記プランジャが直列的に配在されており、前記ステータの内周側に前記感圧応動部材が配在される前記感圧室が形成されている可変容量型圧縮機用制御弁の組立方法であって、前記ステータにおける前記吸引子側の下部開口を通して該ステータの内周側に前記感圧応動部材を配置し、前記下部開口に前記吸引子を取り付けて固定し、前記ステータにおける前記吸引子側とは反対側の上部開口に該上部開口を閉塞する閉塞部材を圧入しながら前記感圧応動部材の取付長を調節した後、前記上部開口に前記閉塞部材を溶接して固定することを特徴としている。
【発明の効果】
【００２３】
本発明によれば、筒状のステータにおける吸引子側とは反対側の開口に、該開口を閉塞する閉塞部材が圧入されて溶接されているので、前記開口に対する閉塞部材の圧入量（挿入量）で感圧応動部材の取付長を調節できるとともに、前記開口に閉塞部材が溶接されることで前記開口に対して閉塞部材を気密的に固定できるため、部品の加工工数や加工コスト、部品点数、組立工数を削減するとともに、部品自体を小型化しつつ、感圧応動部材の取付長の調節と気密性の確保とを実現することが可能となる。
【図面の簡単な説明】
【００２４】
【図１】本発明に係る可変容量型圧縮機用制御弁の第１実施形態の主弁：開、副弁：閉の状態（通常制御時）を示す縦断面図。
【図２】本発明に係る可変容量型圧縮機用制御弁の第１実施形態の主弁：閉、副弁：閉の状態（圧縮機起動移行時）を示す縦断面図。
【図３】本発明に係る可変容量型圧縮機用制御弁の第１実施形態の主弁：閉、副弁：開の状態（圧縮機起動時）を示す縦断面図。
【図４】本発明に係る可変容量型圧縮機用制御弁に用いられるプランジャを示す図であり、（Ａ）は正面図、（Ｂ）は左側面図、（Ｃ）は下面図、（Ｄ）は（Ａ）のＸ−Ｘ矢視線に従う断面図、（Ｅ）は（Ｂ）のＹ−Ｙ矢視線に従う断面図。
【図５】本発明に係る可変容量型圧縮機用制御弁の第２実施形態の主弁：開、副弁：閉の状態（通常制御時）を示す縦断面図。
【図６】本発明に係る可変容量型圧縮機用制御弁の第２実施形態の主弁：閉、副弁：閉の状態（圧縮機起動移行時）を示す縦断面図。
【図７】本発明に係る可変容量型圧縮機用制御弁の第２実施形態の主弁：閉、副弁：開の状態（圧縮機起動時）を示す縦断面図。
【図８】本発明に係る可変容量型圧縮機用制御弁の第１及び第２実施形態の他例を示す要部拡大縦断面図。
【図９】第１の従来例における圧縮機と制御弁との間の冷媒圧力流通状況を示す図。
【図１０】第２の従来例における圧縮機と制御弁との間の冷媒圧力流通状況を示す図であり、（Ａ）は通常制御時、（Ｂ）は圧縮機起動時を示す図。
【発明を実施するための形態】
【００２５】
以下、本発明の実施形態を図面を参照しながら説明する。
【００２６】
＜第１実施形態＞
図１〜図３は、それぞれ本発明に係る可変容量型圧縮機用制御弁の第１実施形態を示す縦断面図であり、図１は主弁：開、副弁：閉の状態（通常制御時）、図２は主弁：閉、副弁：閉の状態（圧縮機起動移行時）、図３は主弁：閉、副弁：開の状態（圧縮機起動時）を示している。
【００２７】
なお、本明細書において、上下、左右、前後等の位置、方向を表わす記述は、説明が煩瑣になるのを避けるために図面に従って便宜上付けたものであり、実際に圧縮機に組み込まれた状態での位置、方向を指すとは限らない。
【００２８】
また、各図において、部材間に形成される隙間や部材間の離隔距離等は、発明の理解を容易にするため、また、作図上の便宜を図るため、各構成部材の寸法に比べて大きくあるいは小さく描かれている場合がある。
【００２９】
図示実施形態の制御弁１は、弁口２２が設けられた弁本体２０と、弁口２２を開閉するための主弁体１５を有する弁体１０と、該弁体１０（主弁体１５）を弁口開閉方向（上下方向）に移動させるための電磁式アクチュエータ３０と、感圧応動部材としてのベローズ装置４０とを備えている。
【００３０】
電磁式アクチュエータ３０は、ボビン３８、該ボビン３８に外装された通電励磁用のコイル３２、取付板３９を介してボビン３８の上側に取り付けられたコネクタヘッド３１、コイル３２の内周側に配在されたステータ３３及び吸引子３４、ステータ３３及び吸引子３４の下端部外周（段差部）にその上端部が溶接により接合された案内パイプ３５、吸引子３４の下方で案内パイプ３５の内周側に上下方向に摺動自在に配在された断面凹状のプランジャ３７、前記コイル３２に外挿される円筒状のハウジング６０、及び、該ハウジング６０の下端部と案内パイプ３５との間に配在されてそれらを弁本体２０の上部に固定するためのホルダ２９を備えている。本例においては、円筒状のステータ３３の下部内周に、断面凹字状の吸引子３４が一体成形されている。ここでは、電磁式アクチュエータ３０のうちの、プランジャ３７を除いた、コイル３２、ステータ３３、及び吸引子３４等からなる部分をソレノイド部３０Ａと称する。
【００３１】
また、前記ステータ３３の上部には、短円柱状の閉塞部材６５が圧入等により固着せしめられ、ステータ３３の内周側における前記閉塞部材６５と吸引子３４との間には、圧縮機１００の吸入圧力Ｐｓが導入される感圧室４５が形成され、この感圧室４５には感圧応動部材としての、ベローズ４１、逆凸字状の上ストッパ４２、逆凹字状の下ストッパ４３、及び圧縮コイルばね４４からなるベローズ装置４０が配在されている。さらに、下ストッパ４３の凹部内には後述する副弁体１７の上部小径部（副弁体部１７ａとは反対側の端部）１７ｄが嵌挿されて支持されており、下ストッパ４３と吸引子３４との間には、ベローズ装置４０を収縮させる方向に付勢する圧縮コイルばね４６が縮装されている。
【００３２】
詳しくは、前記電磁式アクチュエータ３０は、コイル３２の内周側に、円筒状のステータ３３、吸引子３４、及びプランジャ３７が軸線Ｏに沿って（上下方向で）直列的に配在されており、ステータ３３における上部開口（吸引子３４側とは反対側の開口）３３ａに、該上部開口３３ａを閉塞する（つまり、上部開口３３ａと同径の）短円柱状の閉塞部材６５が圧入されて溶接固定され（溶接部６４）、これにより、ステータ３３の内周側における前記閉塞部材６５と吸引子３４との間に、前記ベローズ装置４０が配在される前記感圧室４５が形成されている。前記閉塞部材６５の下面（感圧室４５側の面）に設けられた凹部６６には、ベローズ装置４０の上端部が嵌め込まれて位置合わせされている。
【００３３】
ここでは、前記ステータ３３の上部開口３３ａの口径（ステータ３３の上端部から所定寸法の部分であって、閉塞部材６５が内挿される部分のステータ３３の内径）φＡは、感圧室４５の室径（上部開口３３ａより下側の部分であって、ベローズ装置４０が配置される部分のステータ３３の内径）φＢと同等もしくはそれより若干大きくされている。
【００３４】
前記ベローズ装置４０の電磁式アクチュエータ３０（のステータ３３）への組み付けに際しては、例えば、下部に吸引子３４が一体成形されたステータ３３の上部開口３３ａを通して該ステータ３３の内周側に圧縮コイルばね４６及びベローズ装置４０を（下から順に）配置し、前記上部開口３３ａに前記短円柱状の閉塞部材６５を軸線Ｏに沿って（つまり、ベローズ装置４０の伸縮方向（特に、収縮方向）に向けて）圧入しながらその圧入量（挿入量）で当該閉塞部材６５と当接せしめられるベローズ装置４０のベローズ取付長を調節し（このとき、ベローズ装置４０の上端部が凹部６６に嵌め込まれる）、その後、前記上部開口３３ａに前記閉塞部材６５を（例えば閉塞部材６５の外周部分の全周溶接により）溶接して固定すればよい。
【００３５】
プランジャ３７は、円筒状上半部３７Ａと円柱状下半部３７Ｂとからなっており、円柱状下半部３７Ｂの中央部には、前記吸引子３４を貫通して下方に延びる副弁体１７の胴部１７ｂ及び主弁体１５の上部小径部１５ｆ（後で詳述）を挿通する挿通穴３７ｂが形成され、円柱状下半部３７Ｂの上面における前記挿通穴３７ｂの外周部分が、副弁体１７の中間大径係止部１７ｃを掛止するための掛止部３７ａとされている。
【００３６】
また、吸引子３４と副弁体１７の中間大径係止部１７ｃ（プランジャ３７）との間には、副弁体１７及びプランジャ３７を下方（開弁方向）に付勢する円筒状の圧縮コイルばねからなるプランジャばね（開弁ばね）４７が縮装されており、当該プランジャばね４７により副弁体１７（の中間大径係止部１７ｃ）がプランジャ３７に押し付けられて該プランジャ３７と一緒に上下動するようになっている。
【００３７】
さらに、図４を参照すればよく理解されるように、プランジャ３７における円柱状下半部３７Ｂの下部（下端部から所定距離だけ上方の部分）には、前記挿通穴３７ｂに重なるように、平面視で略半円形の切込み３７ｔが（横方向に向けて）形成され、その切込み３７ｔの下側（すなわち、切込み３７ｔと円柱状下半部３７Ｂの下端部との間の部分）に、円柱状下半部３７Ｂの下端縁部から前記挿通穴３７ｂまで直線状に延びる、前記挿通穴３７ｂの穴径と略同幅のスリット３７ｓが形成されている。前記切込み３７ｔの（上下方向の）高さは、主弁体１５の鍔状係止部１５ｋの高さより若干大きくされており、前記スリット３７ｓの（上下方向の）高さは、主弁体１５の上部小径部１５ｆの高さより若干小さくされており、主弁体１５は、プランジャ３７に対して上下動可能となっている（詳細は後述）。また、前記スリット３７ｓの（横方向の）幅は、組立性等を考慮して、主弁体１５の上部小径部１５ｆの外径より若干大きくされるとともに、主弁体１５の鍔状係止部１５ｋの外径より小さくされている。
【００３８】
弁体１０は、縦方向に並んで（軸線Ｏ方向に沿って）配置された主弁体１５と副弁体１７とからなっている。
【００３９】
下側に配置された主弁体１５は、下から順に、下部嵌挿部１５ｂ、下側小径部１５ｃ、主弁体部１５ａ、中間小径部１５ｄ、上部嵌挿部１５ｅ、上部小径部１５ｆ、及び鍔状係止部１５ｋからなっており、その内部中央には縦方向に貫通するように弁内逃がし通路１６の一部を構成する段付きの貫通逃がし孔１６Ａが設けられており、この貫通逃がし孔１６Ａの上端部が、副弁体１７の下端部（副弁体部）１７ａが離接する副弁シート部２３となっている。また、主弁体１５の中間小径部１５ｄには、複数個の横孔１６ｓが設けられている。
【００４０】
主弁体１５の上部小径部１５ｆは、前記挿通穴３７ｂ（の切込み３７ｔより下側の部分）に緩く内嵌され、主弁体１５の鍔状係止部１５ｋは前記挿通穴３７ｂより大径とされており、プランジャ３７が主弁体１５に対して上方向に移動せしめられるとき、前記挿通穴３７ｂの外周部分からなる内鍔状掛止部３７ｋにより鍔状係止部１５ｋが引っ掛けられて抜け止め係止されるようになっている。
【００４１】
また、前記主弁体１５の上側に配置された副弁体１７は、下から順に、貫通逃がし孔１６Ａの上端縁部である副弁シート部２３に離接する逆円錐状のテーパ部１７ａ、中間大径係止部１７ｃが形成された胴部１７ｂ、円錐台部１７ｅ、及び下ストッパ４３の凹部内に挿入されて支持される上部小径部１７ｄからなっており、前記テーパ部１７ａが、弁内逃がし通路１６を開閉する副弁体部とされている。ここでは、副弁シート部２３と副弁体部１７ａとで副弁部１２が構成される。本例においては、前記胴部１７ｂのうち、中間大径係止部１７ｃより下側の部分がプランジャ３７の挿通穴３７ｂに若干の隙間を有して内挿され、中間大径係止部１７ｃより上側かつ吸引子３４より下側の部分（円筒状上半部３７Ａの内側に配在される部分）が他の部分より若干拡径されている。
【００４２】
副弁体１７の周りの各部の寸法形状（例えば、胴部１７ｂと挿通穴３７ｂとの隙間等）は、副弁体１７が主弁体１５に対して上方向に移動せしめられた位置（すなわち、弁内逃がし通路１６が開いた位置）において多少傾いた状態でも、当該副弁体１７が主弁体１５に近づくに従って（すなわち、副弁体１７が弁内逃がし通路１６を閉じるときに）、逆円錐状の副弁体部（テーパ部）１７ａの下端部が貫通逃がし孔１６Ａ内に入り込み、その副弁体部１７ａによって副弁体１７が主弁体１５に対して調芯されるように、設定されている。より詳細には、副弁体１７が主弁体１５に対して最上昇位置にあるときに、逆円錐状の副弁体部１７ａの一部が貫通逃がし孔１６Ａ内に位置するように、各部の寸法形状が設定されている（特に、図３参照）。
【００４３】
前記弁体１０（主弁体１５及び副弁体１７）とプランジャ３７との組み付けに際しては、例えば、予め弁本体２０（の案内孔１９）に組み付けた主弁体１５の鍔状係止部１５ｋ及び上部小径部１５ｆがそれぞれプランジャ３７の切込み３７ｔ及びスリット３７ｓに挿入されるように、当該主弁体１５をプランジャ３７に対して横移動させ、プランジャ３７の中央に設けられた挿通穴３７ｂに上部小径部１５ｆを嵌挿した状態とし、その後、副弁体１７（の中間大径係止部１７ｃより下側の部分）を挿通穴３７ｂに上から挿入すればよい。
【００４４】
一方、前記弁本体２０は、上部中央に嵌合用の凹穴２０Ｃが設けられた本体部材２０Ａと、前記凹穴２０Ｃに圧入等により内挿固定される支持部材２０Ｂとの二分割構成とされている。
【００４５】
支持部材２０Ｂは、例えばステンレス（ＳＵＳ）等の比較的硬度の高い材料から作製され、前記凹穴２０Ｃに嵌挿される嵌挿部２４の上側に、プランジャ３７の最下降位置を規定するための凸状のストッパ部２４Ａが突設されている。また、支持部材２０Ｂの中央部には、縦方向に貫通するように前記主弁体１５の上部嵌挿部１５ｅが摺動自在に嵌挿される案内孔１９（上側案内孔１９Ａ）が形成され、この上側案内孔１９Ａの下端部が前記主弁体１５の主弁体部１５ａにより開閉される弁口２２（弁シート部）となっている。ここでは、主弁体部１５ａと弁口２２とで主弁部１１が構成される。上述のように、支持部材２０Ｂは、ステンレス等の高硬度の材料で作製されているので、その比重も高い。
【００４６】
本体部材２０Ａは、例えばアルミニウムや真鍮、あるいは樹脂等のステンレス等と比べると比較的比重の低い材料（すなわち、比較的硬度の低い材料）から作製され、本体部材２０Ａの凹穴２０Ｃに支持部材２０Ｂ（の嵌挿部２４）が内挿された状態で、前記ストッパ部２４Ａの外周には、圧縮機１００の吸入圧力Ｐｓの入出室２８が形成されるとともに、その入出室２８の外周側に複数個のＰｓ入出口２７が形成されている。このＰｓ入出口２７から入出室２８に導入された吸入圧力Ｐｓは、プランジャ３７の底部に形成されたスリット３７ｓ及び切込み３７ｔ、副弁体１７の胴部１７ｂとプランジャ３７の挿通穴３７ｂとの間に形成される隙間、プランジャ３７の外周と案内パイプ３５との間に形成される隙間３６等を介して前記感圧室４５に導入される。
【００４７】
また、本体部材２０Ａの凹穴２０Ｃの底部中央には、主弁体１５の主弁体部１５ａを収容するための、案内孔１９及び前記主弁体部１５ａより大径かつ凹穴２０Ｃの穴径より小径の収容穴１８が連設され、この収容穴１８の下部中央には、前記主弁体１５の下部嵌挿部１５ｂが摺動自在に嵌挿される案内孔１９（下側案内孔１９Ｂ）が形成されている。収容穴１８の底部外周角部と主弁体１５の主弁体部１５ａの下部外周に設けられた段差部（段丘部）１５ｇとの間には、円錐状の圧縮コイルばねからなる閉弁ばね５０が縮装されており、この閉弁ばね５０の付勢力により主弁体１５（の上部嵌挿部１５ｅと上部小径部１５ｆとの段差部）がプランジャ３７に押し付けられる。
【００４８】
前記収容穴１８内（前記支持部材２０Ｂの弁口２２より下側部分）が弁室２１となっており、この弁室２１には、圧縮機１００の吐出室１０６に連通するＰｄ導入口２５が複数個開口せしめられている。本体部材２０ＡにおけるＰｄ導入口２５の外周には、リング状のフィルタ部材２５Ａが配在されている。
【００４９】
また、本体部材２０Ａの下端部には、フィルタとして機能する蓋状部材４８が係合・圧入等により固定されており、この蓋状部材４８より上側で主弁体１５より下側が、圧縮機１００のクランク室１０４に連通するＰｃ入出室（入出口）２６となっている。このＰｃ入出室（入出口）２６は、貫通逃がし孔１６Ａ→横孔１６ｓ→上側案内孔１９Ａの下部と中間小径部１５ｄとの間の隙間→弁口２２と主弁体部１５ａとの間の隙間→弁室２１を介して前記Ｐｄ導入口２５に連通する。
【００５０】
また、本実施形態では、主弁体１５に形成された貫通逃がし孔１６Ａ、プランジャ３７内に設けられた切込み３７ｔ及びスリット３７ｓ、入出室２８などで、クランク室１０４の圧力ＰｃをＰｓ入出口２７を介して圧縮機１００の吸入室１０７に逃がすための弁内逃がし通路１６が構成され、主弁体１５の貫通逃がし孔１６Ａの上端縁部である副弁シート部２３に副弁体１７の副弁体部１７ａが離接することにより、前記弁内逃がし通路１６が開閉されるようになっている。
【００５１】
ここで、本実施形態の制御弁１では、図１に示される如くに、プランジャ３７、主弁体１５、及び副弁体１７が最下降位置にある状態（プランジャ３７の最下端面がストッパ部２４Ａに当接、主弁部１１は全開、副弁部１２は全閉）において、主弁体１５の主弁体部１５ａと弁口２２（弁シート部）との間の上下方向の離隔距離が第１リフト量Ｌｖとされ、プランジャ３７の内鍔状掛止部３７ｋと主弁体１５の鍔状係止部１５ｋとの離隔距離は所定量Ｌａとされ、前記プランジャ３７の最大リフト量（第２リフト量）Ｌｐ（プランジャ３７の最下降位置から最上昇位置までのリフト量）は、第１リフト量Ｌｖ＋所定量Ｌａとなっている。
【００５２】
次に、上記構成とされた制御弁１の動作を概説する。
【００５３】
通常制御時（Ｐｄ→Ｐｃ制御時）には、プランジャ３７のリフト量は、最大でも前記第１リフト量Ｌｖ強とされ、圧縮機起動時（Ｐｃ→Ｐｓ制御時）には、プランジャ３７のリフト量は、前記第２リフト量Ｌｐとされる。
【００５４】
すなわち、通常制御時（Ｐｄ→Ｐｃ制御時）には、コイル３２、ステータ３３及び吸引子３４等からなるソレノイド部３０Ａが通電励磁されると、吸引子３４にプランジャ３７が引き寄せられ、これに伴い、プランジャ３７の掛止部３７ａに副弁体１７の中間大径係止部１７ｃが係止されるので、プランジャ３７と一体に副弁体１７が上方向に移動するとともに、この動きに追従して、閉弁ばね５０の付勢力により主弁体１５が上方（閉弁方向）に移動せしめられる。一方、圧縮機１００からＰｓ入出口２７に導入された吸入圧力Ｐｓは、入出室２８からプランジャ３７のスリット３７ｓ及び切込み３７ｔ等を介して感圧室４５に導入され、ベローズ装置４０（内部は真空圧）は感圧室４５の圧力（吸入圧力Ｐｓ）に応じて伸縮変位（吸入圧力Ｐｓが高いと収縮、低いと伸張）し、該変位がプランジャ３７や副弁体１７を介して主弁体１５に伝達され、それによって、弁開度（弁口２２と主弁体部１５ａとの離隔距離）が調整され、その弁開度に応じて、クランク室１０４の圧力Ｐｃが調整される。これに伴い、圧縮機１００の斜板１０２の傾斜角度及びピストン１０５のストロークが調整されて、吐出容量が増減される。
【００５５】
この場合、主弁体１５は閉弁ばね５０の付勢力により常に上向きに付勢されているとともに、副弁体１７は開弁ばね４７の付勢力により常に下向きに付勢されているので、副弁体部１７ａは副弁シート部２３に押し付けられた状態（副弁部１２が閉弁）となり、弁内逃がし通路１６は主弁体１５内で遮断されている。そのため、弁内逃がし通路１６を通じてクランク室圧力Ｐｃが吸入室１０７に逃がされることはない。
【００５６】
それに対し、圧縮機起動時には、ソレノイド部３０Ａが通電励磁されて、吸引子３４にプランジャ３７が引き寄せられ、このプランジャ３７と一緒に副弁体１７が上方向に移動し、この上方向移動に追従して主弁体１５が上方向に移動せしめられ、主弁体１５の主弁体部１５ａにより弁口２２が閉じられた後、さらにプランジャ３７が上方向に移動せしめられ、これによって副弁体１７が弁内逃がし通路１６を開くようにされ、クランク室１０４の圧力Ｐｃが機内逃がし通路１０８と弁内逃がし通路１６の二つの通路を通じて吸入室１０７に逃がされる。
【００５７】
詳細には、プランジャ３７の上方向移動量が第１リフト量Ｌｖに達するまでは、主弁体１５が閉弁ばね５０の付勢力によりプランジャ３７及び副弁体１７の上方向移動に追従するように閉弁方向に移動し、前記上方向移動量が前記第１リフト量Ｌｖに達すると、主弁体１５の主弁体部１５ａにより弁口２２が閉じられ（図２に示す状態）、この主弁部１１の閉弁状態からさらにプランジャ３７が前記所定量Ｌａ分上方向に移動せしめられる（図３に示す状態）。言い換えれば、プランジャ３７の上方向移動量が前記第１リフト量Ｌｖに達した後、プランジャ３７の内鍔状掛止部３７ｋが主弁体１５の鍔状係止部１５ｋに係止されるまでの所定量Ｌａ分だけ副弁体１７が引き上げられる（第１リフト量Ｌｖ＋所定量Ｌａ＝第２リフト量Ｌｐ）。この場合、主弁体１５は閉弁状態のまま不動であるので、副弁体１７の副弁体部１７ａは、副弁シート部２３から所定量Ｌａ分リフトせしめられ、これによって弁内逃がし通路１６が開かれる。プランジャ３７の内鍔状掛止部３７ｋが主弁体１５の鍔状係止部１５ｋに係止されると、ソレノイド部３０Ａが吸引力を発生しても、プランジャ３７及び副弁体１７はそれ以上引き上げられない。
【００５８】
このように、本実施形態の制御弁１においては、円筒状のステータ３３における吸引子３２側とは反対側の上部開口３３ａに、該上部開口３３ａを閉塞する閉塞部材６５が圧入されて溶接されているので、前記上部開口３３ａに対する閉塞部材６５の圧入量（挿入量）でベローズ装置（感圧応動部材）４０のベローズ取付長を調節できるとともに、前記上部開口３３ａに閉塞部材６５が溶接されることで前記上部開口３３ａに対して閉塞部材６５を気密的に固定できるため、部品の加工工数や加工コスト、部品点数、組立工数を削減するとともに、部品自体を小型化しつつ、ベローズ装置（感圧応動部材）４０のベローズ取付長の調節と気密性の確保とを実現することが可能となる。
【００５９】
＜第２実施形態＞
図５〜図７は、それぞれ本発明に係る可変容量型圧縮機用制御弁の第２実施形態を示す縦断面図であり、図５は主弁：開、副弁：閉の状態（通常制御時）、図６は主弁：閉、副弁：閉の状態（圧縮機起動移行時）、図７は主弁：閉、副弁：開の状態（圧縮機起動時）を示している。
【００６０】
本第２実施形態の制御弁２は、上記第１実施形態における制御弁１に対し、基本的に、弁本体及び弁体における主弁体の構成のみが相違している。したがって、第１実施形態と同様の機能を有する構成については同様の符号を付してその詳細な説明は省略し、以下では、前記した相違点のみについて詳細に説明する。
【００６１】
本実施形態の制御弁２では、上記第１実施形態の制御弁１に対し、主弁体１５における上部嵌挿部１５ｅ及び中間小径部１５ｄが長く形成され、主弁体部１５ａの下側の下側小径部１５ｃ及び下部嵌挿部１５ｂが省略されている。
【００６２】
また、弁本体２０の支持部材２０Ｂにおける嵌挿部２４は段付きで形成され、上側大径部２４ａ（第１実施形態の嵌挿部２４に相当する外形）の下側に、該上側大径部２４ａより上下方向長さが長い下側小径部２４ｂが設けられ、その下側小径部２４ｂの下端に、本体部材２０Ａの凹穴２０Ｃと収容穴１８との間の段差部（段丘部）に当接せしめられる鍔状当接部２４ｃが外側に向けて張り出すように設けられている。
【００６３】
一方、弁本体２０の本体部材２０Ａにおける凹穴２０Ｃも段付きで形成され、前記上側大径部２４ａが嵌挿される上側大径穴２０Ｃａ（第１実施形態の凹穴２０Ｃに相当する外形）と前記下側小径部２４ｂが嵌挿される下側小径穴２０Ｃｂとで構成され、下側小径穴２０Ｃｂの底部中央に、主弁体１５の主弁体部１５ａを収容する段付きの収容穴１８が連設されている。収容穴１８の内周に設けられた段差部と主弁体１５の主弁体部１５ａの下部外周に設けられた段差部（段丘部）１５ｇとの間には、円錐状の圧縮コイルばねからなる閉弁ばね５０が縮装されている。
【００６４】
また、収容穴１８内（前記支持部材２０Ｂの弁口２２より下側部分）が弁室２１となっているが、ここでは、前記凹穴２０Ｃにおける下側小径穴２０Ｃｂに、圧縮機１００の吐出室１０６に連通するＰｄ導入口２５が複数個開口せしめられ、そのＰｄ導入口２５の外周にリング状のフィルタ部材２５Ａが外装され、（主弁体１５の中間小径部１５ｄに代えて）前記嵌挿部２４における下側小径部２４ｂに、前記Ｐｄ導入口２５に連通する複数個の横孔２５ｓが設けられており、圧縮機１００のクランク室１０４に連通するＰｃ入出室（入出口）２６は、弁室２１→弁口２２と主弁体部１５ａとの間の隙間→案内孔１９（上側案内孔１９Ａ）の下部と中間小径部１５ｄとの間の隙間→下側小径部２４ｂの横孔２５ｓ→下側小径部２４ｂと下側小径穴２０Ｃｂとの間の隙間（詳細は後述）を介して前記Ｐｄ導入口２５に連通する。
【００６５】
また、本実施形態では、上側大径部２４ａの外周と上側大径穴２０Ｃａの内周とが当接し（言い換えれば、上側大径穴２０Ｃａに上側大径部２４ａが嵌合（内接）せしめられ）、下側小径部２４ｂの外周と下側小径穴２０Ｃｂの内周との間に若干の隙間を有する姿勢で、本体部材２０Ａの凹穴２０Ｃに支持部材２０Ｂが内挿固定されている。
【００６６】
かかる構成の本第２実施形態の制御弁２においても、上記第１実施形態の制御弁１と同様の作用効果が得られることは言うまでも無い。
【００６７】
なお、上記第１及び第２実施形態においては、組立工程を簡素化するために、電磁式アクチュエータ３０のステータ３３の上部開口３３ａの口径φＡを感圧室４５の室径φＢと同等もしくはそれより大きくし、ステータ３３の上部開口３３ａを通して該ステータ３３の内周側にベローズ装置４０等を挿入したが、例えば図８に示される如くの制御弁３のように、ステータ３３の上部開口３３ａの口径φＡが感圧室４５の室径φＢより小さい場合には、ステータ３３（ここでは、ステータ３３と吸引子３４とは別部品として作製）の下部開口３３ｂを通して該ステータ３３の内周側にベローズ装置４０等を挿入してもよい。
【００６８】
より詳しくは、例えば、ステータ３３の下部開口（吸引子３４側の開口）３３ｂを通して該ステータ３３の内周側にベローズ装置４０及び圧縮コイルばね４６を（上から順に）を配置し、前記下部開口３３ｂに吸引子３４を取り付けて固定し、ステータ３３の上部開口（吸引子３４側とは反対側の開口）３３ａに前記短円柱状の閉塞部材６５を軸線Ｏに沿って（つまり、ベローズ装置４０の伸縮方向（特に、収縮方向）に向けて）圧入しながらその圧入量（挿入量）で当該閉塞部材６５と当接せしめられるベローズ装置４０のベローズ取付長を調節し（このとき、ベローズ装置４０の上端部が凹部６６に嵌め込まれる）、その後、前記上部開口３３ａに前記閉塞部材６５を（例えば閉塞部材６５の外周部分の全周溶接により）溶接して固定しても良い。
【符号の説明】
【００６９】
１      可変容量型圧縮機用制御弁（第１実施形態）
２      可変容量型圧縮機用制御弁（第２実施形態）
１０    弁体
１１    主弁部
１２    副弁部
１５    主弁体
１５ａ  主弁体部
１５ｋ  鍔状係止部
１６    弁内逃がし通路
１７    副弁体
１７ａ  副弁体部（テーパ部）
１９    案内孔
１９Ａ  上側案内孔
１９Ｂ  下側案内孔
２０    弁本体
２０Ａ  本体部材
２０Ｂ  支持部材
２０Ｃ  凹穴
２１    弁室
２２    弁口
２３    副弁シート部
２５    Ｐｄ導入口
２６    Ｐｃ入出口
２７    Ｐｓ入出口
３０    電磁式アクチュエータ
３０Ａ  ソレノイド部
３２    コイル
３３    ステータ
３３ａ  上部開口
３３ｂ  下部開口
３４    吸引子
３７    プランジャ
３７ｋ  内鍔状掛止部
３７ｓ  スリット
３７ｔ  切込み
４０    ベローズ装置（感圧応動部材）
４５    感圧室
５０    閉弁ばね
６４    溶接部
６５    閉塞部材
６６    凹部
Ｌｖ    第１リフト量
Ｌａ    所定量
Ｌｐ    第２リフト量
【図１】
2018003879.tif 000003
【図２】
2018003879.tif 000004
【図３】
2018003879.tif 000005
【図４】
2018003879.tif 000006
【図５】
2018003879.tif 000007
【図６】
2018003879.tif 000008
【図７】
2018003879.tif 000009
【図８】
2018003879.tif 000010
【図９】
2018003879.tif 000011
【図１０】
2018003879.tif 000012